(57)【特許請求の範囲】
【請求項１】
幅方向両側における表面に全長に亘って波型フランジを備えてなる無端状の主搬送ベルトと、この主搬送ベルトの両側の波型フランジ間の空間部を閉じるとともに波型フランジ間の空間部を主搬送ベルトの長さ方向に等間隔おきに仕切るクリートを表面に備えてなる無端状の押さえベルトとからなり、前記主搬送ベルトは水平な搬入部と、この搬入部に下端が繋がる立ち上がり部と、この立ち上がり部の上端に一端が繋がる搬出部を備え、主搬送ベルトはキャリヤ側の立ち上がり部と搬出部との間の変角部をそれぞれが支持回転体により形成された下部変角部と上部変角部の２箇所設け、この下部変角部と上部変角部との間に短い直線部が存在するように形成して、この２段折れ状態の主搬送ベルトの下部変角部と上部変角部と、この間の直線部に押さえベルトが沿うように構成されており、前記押さえベルトは前記上部変角部の位置から直線のまま主搬送ベルトに対して離れるように構成されていることを特徴とするコンベヤー装置。
【発明の詳細な説明】
【０００１】
【発明の属する技術分野】
本発明は、砂、砂利、泥状物、産業廃棄物、ヘドロ状物質などの各種被搬送物を落下させることなく垂直を含む急傾斜搬送を可能にするコンベヤー装置に関するものである。
【０００２】
【従来の技術】
従来から無端状で幅方向両側における表面に全長に亘って波型フランジを備えてなる主搬送ベルトと、この主搬送ベルトの両側の波型フランジ間の空間部を閉じるとともに波型フランジ間の空間部を主搬送ベルトの長さ方向に等間隔おきに仕切るクリートを表面に備えてなる同じく無端状の押さえベルトとからなるコンベヤー装置が知られている。
【０００３】
図２〜図４に基づきこの従来から知られているコンベヤー装置について説明すると、１は無端状の主搬送ベルトで、この主搬送ベルト１は幅方向両側における表面に全長に亘って波型フランジ２，２を備えている。３は前記主搬送ベルト１の両側の波型フランジ２，２間の空間部を閉じるとともに波型フランジ２，２間の空間部を主搬送ベルト１の長さ方向に等間隔おきに仕切るクリート４を表面に備えてなる同じく無端状の押さえベルトである。
【０００４】
前記主搬送ベルト１は水平な搬入部５と、垂直な立ち上がり部６と、立ち上がり部６の上端から緩やかな角度で上向きに傾斜する搬出部７を備え、上端のヘッドプーリー８と下端のテールプーリー９との間で無端環状に架け渡され、キャリヤ側の搬入部５から立ち上がり部６への変角には端ローラー１０が、キャリヤ側の立ち上がり部６から搬出部７への変角には支持ローラー１１が、リターン側の搬出部７から立ち上がり部６への変角にはディスクプーリー１２が、リターン側の立ち上がり部６から搬入部５への変角にはベンドプーリー１３が、搬入部５の内側と立ち上がり部６の内側にはそれぞれキャリヤローラー１４，１５が配され、全体がほぼＺ型を呈している。
【０００５】
また、前記押さえベルト３は上端のヘッドプーリー１６と下端のテールプーリー１７との間で無端状に架け渡され、前記主搬送ベルト１の立ち上がり部６に対して押さえローラー１８により押し付けられている。なお、前記主搬送ベルト１の搬入部５から立ち上がり部６への変角部に対応する押さえベルト３は支持ローラー１９で受けられ、主搬送ベルト１の立ち上がり部６から搬出部７への変角部に押さえベルト３が沿うようにその変角部における主搬送ベルト１の外側に被る押さえベルト３は幅方向両側部が端ローラー２０で受けられている。
【０００６】
そして、このような構成のコンベヤー装置において、主搬送ベルト１の搬入部５に載せられた被搬送物は主搬送ベルト１と押さえベルト３との合わさり部から主搬送ベルト１が押さえベルト３によって閉じられるとともに、押さえベルト３に設けた前記クリート４によって主搬送ベルト１が長さ方向に等間隔おきに仕切られ、主搬送ベルト１と押さえベルト３が同期しながら駆動することから、被搬送物は主搬送ベルト１と押さえベルト３との間で包み込まれた状態で主搬送ベルト１の立ち上がり部６を上向きに搬送される。主搬送ベルト１の上端の搬出部７は押さえベルト３によって閉じられておらず、主搬送ベルト１の搬出部７の端部から被搬送物が送り出されるのである。
【０００７】
上記構成において、主搬送ベルト１はキャリヤ側の立ち上がり部６と搬出部７との間の変角部が１箇所であり、その変角部において主搬送ベルト１は全幅を支持ローラー１１で受けられ、その変角部における主搬送ベルト１の外側に被る押さえベルト３は幅方向両側部が端ローラー２０で受けられていることから、押さえベルト３には張力の関係で幅方向中央に向かって大きく撓み（図４参照）、これにより押さえベルト３の両側部で主搬送ベルト１の波型フランジ２，２が圧迫されて変形して押さえベルト３と主搬送ベルト１の波型フランジ２，２との間に隙間が発生し、この隙間より被搬送物がこぼれ出るという問題があった。また、前記変角部における主搬送ベルト１の外側に被る押さえベルト３の大きな半径で湾曲して主搬送ベルト１の外側に長さの長い範囲で強く接することから、押さえベルト３や主搬送ベルト１の波型フランジ２，２が早く磨耗して寿命が短いという問題があった。
【０００８】
【発明が解決しようとする課題】
本発明はこのような課題を解決するもので、主搬送ベルトのキャリヤ側の立ち上がり部と搬出部との間の変角部からの被搬送物のこぼれ落ちを防止するとともに、押さえベルトや主搬送ベルトの波型フランジの磨耗を軽減させ、長寿命化を図ることを目的とするものである。
【０００９】
【課題を解決するための手段】
この課題を解決するために本発明は、幅方向両側における表面に全長に亘って波型フランジを備えてなる無端状の主搬送ベルトと、この主搬送ベルトの両側の波型フランジ間の空間部を閉じるとともに波型フランジ間の空間部を主搬送ベルトの長さ方向に等間隔おきに仕切るクリートを表面に備えてなる無端状の押さえベルトとからなり、前記主搬送ベルトは水平な搬入部と、この搬入部に下端が繋がる立ち上がり部と、この立ち上がり部の上端に一端が繋がる搬出部を備え、主搬送ベルトはキャリヤ側の立ち上がり部と搬出部との間の変角部をそれぞれが支持回転体により形成された下部変角部と上部変角部の２箇所設け、この下部変角部と上部変角部との間に短い直線部が存在するように形成して、この２段折れ状態の主搬送ベルトの下部変角部と上部変角部と、この間の直線部に押さえベルトが沿うように構成されており、前記押さえベルトは前記上部変角部の位置から直線のまま主搬送ベルトに対して離れるように構成されていることを要旨とするものである。
【００１０】
この構成により、主搬送ベルトを２箇所に分けて変角させてあることにより、これに沿う押さえベルトに働く張力が軽減され、それにより押さえベルトの幅方向中央に向かう撓み量が小さくなって押さえベルトはほぼ自然の正常な状態を保つことができ、主搬送ベルトのキャリヤ側の立ち上がり部と搬出部との間の変角部からの被搬送物がこぼれ落ちを防止するとともに、押さえベルトや主搬送ベルトの波型フランジの磨耗を軽減させ、長寿命化を図ることができる。
【００１１】
【発明の実施の形態】
以下、本発明の一実施の形態について、図面（図１）に基づいて説明する。なお図中、前記従来例と同一部材は同一符号で示し、その詳細説明は省略する。
【００１２】
図１において、本実施の形態のコンベヤー装置は、主搬送ベルト１はキャリヤ側の立ち上がり部６と搬出部７との間の変角部を下部変角部２１と上部変角部２２の２箇所設けた点で前記従来例と異なる。即ち、本実施の形態のコンベヤー装置は、下部変角部２１を多数本の支持ローラー１１ａにより形成し、上部変角部２２を多数本の支持ローラー１１ｂにより形成することにより、この下部変角部２１と上部変角部２２との間に短い直線部２３が存在するように形成して、所謂２段折れ状態とし、この２段折れ状態の主搬送ベルト１の下部変角部２１と上部変角部２２と、この間の直線部２３に押さえベルト３が沿うように構成されている。さらに詳しくは、前記主搬送ベルト１の下部変角部２１は約３０度の角度で変角し、また上部変角部２２はすぐ下側の短い直線部から約５０度の角度で変角しており、また前記押さえベルト３は主搬送ベルト１の上部変角部２２の位置では曲げずに直線のまま主搬送ベルト１から離れるように構成されており、主搬送ベルト１の下部変角部２１における主搬送ベルト１の外側に被る押さえベルト３は幅方向両側部が端ローラー２０で受けられている。なお、他の構成は前記従来例と同じであるため、その詳細説明は省略する。
【００１３】
上記構成において、主搬送ベルト１を２箇所に分けて変角させてあることにより、これに沿う押さえベルト３に働く張力が軽減され、それにより押さえベルト３の幅方向中央に向かう撓み量が小さくなって押さえベルト３はほぼ自然の正常な状態を保つことができ、前記従来例のように押さえベルトの両側部で主搬送ベルトの波型フランジが圧迫されて変形して押さえベルトと主搬送ベルトの波型フランジとの間に隙間が発生することによる被搬送物の落下という問題や、押さえベルトや主搬送ベルトの波型フランジが早く磨耗して寿命が短いという問題を一挙に解決するものである。
【００１４】
なお、上記実施の形態では主搬送ベルト１の下部変角部２１を多数本の支持ローラー１１ａにより形成し、上部変角部２２も多数本の支持ローラー１１ｂにより形成しているが、上部変角部２２は太い１本のベンドプーリーにより形成しても良い。つまり、上部変角部２２は多数本の支持ローラー１１ｂあるいは１本のベンドプーリーなどの支持回転体により形成するようにすれば良い。
【００１５】
【発明の効果】
以上のように本発明によれば、主搬送ベルトを２箇所に分けて変角させてあることにより、これに沿う押さえベルトに働く張力が軽減され、それにより押さえベルトの幅方向中央に向かう撓み量が小さくなって押さえベルトはほぼ自然の正常な状態を保つことができ、主搬送ベルトのキャリヤ側の立ち上がり部と搬出部との間の変角部からの被搬送物のこぼれ落ちを防止するとともに、押さえベルトや主搬送ベルトの波型フランジの磨耗を軽減させ、長寿命化を図ることができる。
【図面の簡単な説明】
【図１】本発明の一実施の形態におけるコンベヤー装置の側面図である。
【図２】従来例におけるコンベヤー装置の側面図である。
【図３】同コンベヤー装置の要部拡大斜視図である。
【図４】図２のＸ−Ｘ断面図である。
【符号の説明】
１              主搬送ベルト
２              波型フランジ
３              押さえベルト
４              クリート
５              搬入部
６              立ち上がり部
７              搬出部
８              ヘッドプーリー
９              テールプーリー
１１ａ，１１ｂ    支持ローラー
１６              ヘッドプーリー
１７              テールプーリー
１９              支持ローラー
２０              端ローラー
２１              下部変角部
２２              上部変角部
２３              直線部
【図１】
0003776046.tif 000002
【図２】
0003776046.tif 000003
【図３】
0003776046.tif 000004
【図４】
0003776046.tif 000005